【手続補正書】
【提出日】平成24年1月6日(2012.1.6)
【手続補正１】
【補正対象書類名】明細書
【補正対象項目名】００１２
【補正方法】変更
【補正の内容】
【００１２】
上記目的を達成するために、本発明の自動分析装置の一態様は、被検試料及びこの被検
試料の検査項目に該当する試薬を反応管に分注し、その混合液が収容された反応管に光を
照射し、前記混合液内の透過光を検出光学部により検出して前記混合液に含まれる前記検
査項目の成分を測定する自動分析装置において、当該分析装置の測定部における光軸上で
、前記反応管に照射するための光を発する光源と前記反応管の間、若しくは前記反応管と
前記検出光学部との間に離間して配置され、前記検査項目の分析条件に基づいて、照射光
の前記光軸上の集光点位置を可変調整できる集光点調整部を備えたことを特徴とする。
【手続補正２】
【補正対象書類名】特許請求の範囲
【補正対象項目名】全文
【補正方法】変更
【補正の内容】
【特許請求の範囲】
【請求項１】
被検試料及びこの被検試料の検査項目に該当する試薬を反応管に分注し、その混合液が
収容された反応管に光を照射し、前記混合液内の透過光を検出光学部により検出して前記
混合液に含まれる前記検査項目の成分を測定する自動分析装置において、
当該分析装置の測定部における光軸上で、前記反応管に照射するための光を発する光源
と前記反応管の間、若しくは前記反応管と前記検出光学部との間に離間して配置され、前
記検査項目の分析条件に基づいて、照射光の前記光軸上の集光点位置を可変調整できる集
光点調整部を備えたことを特徴とする自動分析装置。
【請求項２】
前記検査項目の分析条件を設定する分析条件設定部を更に有し、
前記分析条件には、前記反応液の液量、前記検出光学部による検出光の波長、前記試薬
の粘性若しくは泡立ち易さを含む試薬液性、及び前記混合液中における反応の種類が比色
測定又は比濁測定かの各情報が含まれ、
前記集光点調整部は、少なくとも前記分析条件の１つの情報に基づいて、前記反応管へ
の照射光の集光点を可変し、
前記集光点調整部は、前記反応液の分析条件である反応の種類情報に基づいて、前記反
応管への照射光の集光点を可変し、
前記反応液の液量が当該自動分析装置によって規定される測定可能な最少液量と測定猶
予量との加算量である場合は、前記集光点調整部は、前記反応管の中心に照射光の集光点
が位置するように調整し、
前記反応液の液量が測定に必要な最大液量を超える場合、前記集光点調整部は、前記反
応管透過光が前記光軸に平行光となるように集光点を無限遠に設定し、
前記分析条件である反応の種類情報が比濁測定若しくは比色測定であって、且つ前記反
応液の液量が当該自動分析装置によって測定可能に規定された最少液量と最大液量との中
間液量である場合、前記集光点調整部は、前記反応液の液量に応じて、前記光軸上で、前
記反応管の前方若しくは後方の位置に、前記照射光の集光点を調整し、
前記光源と前記反応管の間に離間して配置され、前記反応管に照射する光の集光点位置
を可変調整できる第１の集光点調整部と、
前記反応管と前記検出光学部との間に離間して配置され、前記混合液内を透過した光を
集光するための集光点を可変調整できる第２の集光点調整部とを
更に備え、
前記第２の集光点調整部は、前記第１の集光点調整部の集光点位置に集光点を合わせて
、前記混合液内を透過した光を集光するように配置され、
前記集光点調整部は、前記検査項目の分析条件に基づいて、前記反応管への照射光量を
最大にするように、照射光の前記光軸上の集光点位置を可変調整することを特徴とする請
求項１記載の自動分析装置。
【請求項３】
前記検査項目の分析条件を設定する分析条件設定部を更に有し、
前記分析条件には、前記反応液の液量、前記検出光学部による検出光の波長、前記試薬
の粘性若しくは泡立ち易さを含む試薬液性、及び前記混合液中における反応の種類が比色
測定又は比濁測定かの各情報が含まれ、
前記集光点調整部は、少なくとも前記分析条件の１つの情報に基づいて、前記反応管へ
の照射光の集光点を可変することを特徴とする請求項１に記載の自動分析装置。
【請求項４】
前記集光点調整部は、前記反応液の分析条件である反応の種類情報に基づいて、前記反
応管への照射光の集光点を可変することを特徴とする請求項１又は請求項３に記載の自動
分析装置。
【請求項５】
前記反応液の液量が当該自動分析装置によって規定される測定可能な最少液量と測定猶
予量との加算量である場合は、前記集光点調整部は、前記反応管の中心に照射光の集光点
が位置するように調整することを特徴とする請求項１に記載の自動分析装置。
【請求項６】
前記反応液の液量が測定に必要な最大液量を超える場合、前記集光点調整部は、前記反
応管透過光が前記光軸に平行光となるように集光点を無限遠に設定することを特徴とする
請求項１に記載の自動分析装置。
【請求項７】
前記分析条件である反応の種類情報が比濁測定若しくは比色測定であって、且つ前記反
応液の液量が当該自動分析装置によって測定可能に規定された最少液量と最大液量との中
間液量である場合、前記集光点調整部は、前記反応液の液量に応じて、前記光軸上で、前
記反応管の前方若しくは後方の位置に、前記照射光の集光点を調整することを特徴とする
請求項１に記載の自動分析装置。
【請求項８】
前記光源と前記反応管の間に離間して配置され、前記反応管に照射する光の集光点位置
を可変調整できる第１の集光点調整部と、
前記反応管と前記検出光学部との間に離間して配置され、前記混合液内を透過した光を
集光するための集光点を可変調整できる第２の集光点調整部とを
更に備えることを特徴とする請求項１に記載の自動分析装置。
【請求項９】
前記第２の集光点調整部は、前記第１の集光点調整部の集光点位置に集光点を合わせて
、前記混合液内を透過した光を集光するように配置されることを特徴とする請求項８に記
載の自動分析装置。
【請求項１０】
前記集光点調整部は、前記検査項目の分析条件に基づいて、前記反応管への照射光量を
最大にするように、照射光の前記光軸上の集光点位置を可変調整することを特徴とする請
求項１記載の自動分析装置。
【請求項１１】
被検試料及びこの被検試料の検査項目に該当する試薬を反応管に分注し、その混合液が
収容された反応管に光を照射し、前記混合液内の透過光を検出光学部により検出すること
で前記反応液に含まれる前記検査項目の成分を測定する自動分析装置において、
前記反応管に照射する光を発する光源と、
前記光源と前記検出光学部との間に配置され、屈折率の異なる複数の溶液からなる液体
レンズと、
前記液体レンズの前記複数の溶液間の界面曲率を変更する変更部と、
前記反応管に照射する光の集光点を調整するために、前記検査項目の分析条件に応じて
、前記変更部を制御する制御部と
を有することを特徴とする自動分析装置。
【請求項１２】
前記液体レンズは、少なくとも１つの界面を形成するように水溶液層と前記水溶液層と
は屈折率の異なるオイル層とで構成され、
前記変更部は、前記液体レンズを挟んで対向する少なくとも一対の電極で構成され、
前記制御部は、前記一対の電極間に印加する電圧により前記界面曲率を変更することを
特徴とする請求項１１に記載の自動分析装置。
【請求項１３】
前記制御部は、前記反応管に照射する光が前記光軸に略平行光となるように前記界面曲
率を制御することを特徴とする請求項１１に記載の自動分析装置。
【請求項１４】
前記液体レンズは、少なくとも１つの界面を形成するように第１のオイル層と前記第１
のオイル層とは屈折率の異なる第２のオイル層とで構成され、
前記変更部は、前記液体レンズを挟んで対向する少なくとも一対の電極で構成され、
前記制御部は、前記一対の電極間に印加する電圧により前記界面曲率を変更することを
特徴とする請求項１１に記載の自動分析装置。
【請求項１５】
被検試料及びこの被検試料の検査項目に該当する試薬を反応管に分注し、混合された反
応液が収容された反応管に光源からの光を照射し、前記反応液内の透過光を検出光学部に
より検出することで前記反応液に含まれる前記検査項目の成分を測定する自動分析方法に
おいて、
分析装置の測定部における光軸上で、前記光源と前記反応管の間、若しくは前記反応管
と前記検出光学部との間に離間して配置された集光点調整部により、前記検査項目の分析
条件に基づいて前記反応管への照射光の前記光軸上の集光点の位置を可変調整することを
特徴とする自動分析方法。